(57)【要約】【課題】  本発明は、使用状況に応じた命令の入力環境を提供して使い勝手を向上させる。【解決手段】  本発明は、命令入力部２を介して命令が入力される際、表示部４に入力支援画像を表示させ処理を制限しない実行処理非制限モード、又は表示部４に入力支援画像を表示させず処理を制限する実行処理制限モードに設定し、その設定に応じて命令入力部２に割り当てる命令のうち少なくとも１つの命令を変更する。従って実行処理非制限モード時には、命令入力部２と共に入力支援画像を利用させて各種命令を入力させ、実行処理制限モード時には、処理の制限と命令入力部２に割り当てる命令の変更とに応じて、入力支援画像を特には利用させなくても命令入力部２のみを利用させて命令を入力させ、使用状況に応じた命令の入力環境を提供して使い勝手を向上させることができる。【選択図】        図９
2007041690.tif 000002
【特許請求の範囲】
【請求項１】
各種命令を入力するための命令入力部と、
上記命令入力部を介して上記命令が入力される際、命令入力支援用の入力支援画像を表示可能な表示能力を有する表示部に対し当該入力支援画像を表示させ、上記命令の入力に応じて実行される処理を制限しない実行処理非制限モード、又は上記表示部に対し上記入力支援画像を非表示として、上記命令の入力に応じて実行される上記処理を制限する実行処理制限モードに設定するモード設定部と、
上記モード設定部により設定された上記実行処理非制限モード及び上記実行処理制限モードに応じて、上記命令入力部に割り当てる入力可能な上記命令のうち少なくとも１つの当該命令を変更する命令割当部と
を具えることを特徴とする命令入力装置。
【請求項２】
上記命令割当部は、
上記モード設定部により上記実行処理制限モードに設定されたとき、上記命令入力部に対して割り当てる入力可能な上記命令のうち上記制限する上記処理を実行させるための特定の上記命令に対する割り当てを無効にする
ことを特徴とする請求項１に記載の命令入力装置。
【請求項３】
上記モード設定部により上記実行処理制限モードに設定されたとき上記命令入力部に対して、上記命令割当部により割り当ての無効とされた特定の上記命令を入力するための操作が行われたか否かを検出する検出部と、
上記検出部により上記命令入力部に対して、上記命令割当部により割り当ての無効とされた特定の上記命令を入力するための操作の行われたことが検出されると、当該操作が無効であることを通知する通知部と
を具えることを特徴とする請求項２に記載の命令入力装置。
【請求項４】
上記通知部は、
上記検出部により上記命令入力部に対して、上記命令割当部により割り当ての無効とされた特定の上記命令を入力するための操作の行われたことが検出されると、当該操作が無効であることを通知すると共に、上記実行処理制限モードから上記実行処理非制限モードへ切り替えるように促す
ことを特徴とする請求項３に記載の命令入力装置。
【請求項５】
上記モード設定部により上記実行処理非制限モードに設定されたとき、上記表示部に対して上記入力支援画像を表示し、上記モード設定部により上記実行処理制限モードに設定されたとき、上記表示部の上記表示能力よりも低い表示能力を有する簡易表示部に対し、上記命令入力部を介して入力される上記命令に応じた処理の実行状況を通知する処理実行状況通知情報を表示するように、上記表示部及び上記簡易表示部の表示を制御する表示制御部
を具えることを特徴とする請求項１に記載の命令入力装置。
【請求項６】
各種命令を入力するための命令入力部を介して当該命令が入力される際、命令入力支援用の入力支援画像を表示可能な表示能力を有する表示部に対し当該入力支援画像を表示させ、上記命令の入力に応じて実行される処理を制限しない実行処理非制限モード、又は上記表示部に対し上記入力支援画像を非表示として、上記命令の入力に応じて実行される上記処理を制限する実行処理制限モードに設定するモード設定ステップと、
上記モード設定ステップで設定された上記実行処理非制限モード及び上記実行処理制限モードに応じて、上記命令入力部に割り当てる入力可能な上記命令のうち少なくとも１つの当該命令を変更する命令変更ステップと
を具えることを特徴とする命令入力環境設定方法。
【請求項７】
情報処理装置に対して、
各種命令を入力するための命令入力部を介して当該命令が入力される際、命令入力支援用の入力支援画像を表示可能な表示能力を有する表示部に対し当該入力支援画像を表示させ、上記命令の入力に応じて実行される処理を制限しない実行処理非制限モード、又は上記表示部に対し上記入力支援画像を非表示として、上記命令の入力に応じて実行される上記処理を制限する実行処理制限モードに設定するモード設定ステップと、
上記モード設定ステップで設定された上記実行処理非制限モード及び上記実行処理制限モードに応じて、上記命令入力部に割り当てる入力可能な上記命令のうち少なくとも１つの当該命令を変更する命令変更ステップと
を実行させるための命令入力環境設定プログラム。
【発明の詳細な説明】
【技術分野】
【０００１】
本発明は命令入力装置、命令入力環境設定方法及び命令入力環境設定プログラムに関し、例えば各種命令の入力に応じて音楽データの記録再生等の各種処理を実行する記録再生装置に適用して好適なものである。
【背景技術】
【０００２】
従来の通信装置は、表示装置に対し楽曲集合一覧のようなリストや各種命令等を表示した状態で、リモートコントローラを介して表示装置の画面上でカーソルを移動させて楽曲リストや各種命令を選択させ、その選択が決定されると、これに応じて各種処理を実行していた（例えば、特許文献１参照）。
【特許文献１】特開２００５−１０７２５１公報（第１１頁）
【発明の開示】
【発明が解決しようとする課題】
【０００３】
ところでかかる構成の通信装置では、表示装置に対し、リストや各種命令等を有する画像を表示してＧＵＩ（Graphical User Interface）を実現している。このため通信装置では、表示装置に表示した画像により、ユーザに対し選択可能な選択肢や入力可能な命令等を直観的に認識させ易くしている。
【０００４】
ところがかかる構成の通信装置では、ユーザに対し命令を入力させる場合、常にリモートコントローラと共に、表示装置に表示した画像を利用させている。このため通信装置は、実際には表示装置に表示する画像を利用させずにリモートコントローラだけを用いて入力可能な命令についても、わざわざリモートコントローラを介して当該画像上でその命令を選択させるような煩雑な操作を行わせて入力させている。従って通信装置は、実際にはリモートコントローラだけを用いても入力可能な命令に応じた処理を頻繁に実行するような使用状況では、当該命令を入力させるための操作が煩雑であるために使い勝手がわるいという問題があった。
【０００５】
本発明は以上の点を考慮してなされたもので、使用状況に応じた命令の入力環境を提供して使い勝手を向上し得る命令入力装置、命令入力環境設定方法及び命令入力環境設定プログラムを提案しようとするものである。
【課題を解決するための手段】
【０００６】
かかる課題を解決するため本発明においては、各種命令を入力するための命令入力部を介して命令が入力される際、命令入力支援用の入力支援画像を表示可能な表示能力を有する表示部に対し当該入力支援画像を表示させ、命令の入力に応じて実行される処理を制限しない実行処理非制限モード、又は表示部に対し入力支援画像を非表示として、命令の入力に応じて実行される処理を制限する実行処理制限モードに設定し、当該設定した実行処理非制限モード及び実行処理制限モードに応じて、命令入力部に割り当てる入力可能な命令のうち少なくとも１つの当該命令を変更するようにした。
【０００７】
従って本発明では、実行処理非制限モードに設定すると、命令入力部と共に、表示部に表示させた入力支援画像を利用させて各種命令を容易に入力させながら、これら各種命令に応じて全ての処理を実行させることができる。これに対して本発明では、実行処理制限モードに設定すると、実行される処理を制限すると共に、命令入力部に割り当てる命令も変更することで、入力支援画像を特には利用させずに、命令入力部のみを利用させて命令を入力させることができる。
【発明の効果】
【０００８】
本発明によれば、各種命令を入力するための命令入力部を介して命令が入力される際、命令入力支援用の入力支援画像を表示可能な表示能力を有する表示部に対し当該入力支援画像を表示させ、命令の入力に応じて実行される処理を制限しない実行処理非制限モード、又は表示部に対し入力支援画像を非表示として、命令の入力に応じて実行される処理を制限する実行処理制限モードに設定し、当該設定した実行処理非制限モード及び実行処理制限モードに応じて、命令入力部に割り当てる入力可能な命令のうち少なくとも１つの当該命令を変更するようにしたことにより、実行処理非制限モードに設定したときには、命令入力部と共に、表示部に表示させた入力支援画像を利用させて各種命令を容易に入力させ、実行処理制限モードに設定したときには、処理の制限と命令入力部に割り当てる命令の変更とに応じて、入力支援画像を特には利用させなくても命令入力部のみを利用させて命令を入力させることができ、かくして使用状況に応じた命令の入力環境を提供して使い勝手を向上し得る命令入力装置、命令入力環境設定方法及び命令入力環境設定プログラムを実現することができる。
【発明を実施するための最良の形態】
【０００９】
以下図面について、本発明の一実施の形態を詳述する。
【００１０】
（１）第１の実施の形態
図１において、１は全体として第１の実施の形態による命令入力装置の機能回路ブロックによるハードウェア構成を示す。かかるハードウェア構成の命令入力装置１において、命令入力部２は、ユーザに対し各種命令を入力させるためのものである。また命令入力装置１において、モード設定部３は、命令入力部２を介して命令が入力される際、命令入力支援用の入力支援画像を表示可能な表示能力を有する表示部４に対し当該入力支援画像を表示させ、命令の入力に応じて実行される処理を制限しない実行処理非制限モード、又は表示部４に対し入力支援画像を非表示として、命令の入力に応じて実行される処理を制限する実行処理制限モードに設定する。さらに命令入力装置１において、命令割当部５は、モード設定部３により設定された実行処理非制限モード及び実行処理制限モードに応じて、命令入力部２に割り当てる入力可能な命令のうち少なくとも１つの命令を変更する。
【００１１】
また命令割当部５は、モード設定部３により実行処理制限モードに設定されたとき、命令入力部２に対して割り当てる入力可能な命令のうち制限する処理を実行させるための特定の命令に対する割り当てを無効にする。そして命令入力装置１において、検出部６は、モード設定部３により実行処理制限モードに設定されたとき命令入力部２に対して、命令割当部５により割り当ての無効とされた特定の命令を入力するための操作が行われたか否かを検出する。その結果、命令入力装置１において、通知部７は、検出部６により命令入力部２に対して、命令割当部５により割り当ての無効とされた特定の命令を入力するための操作の行われたことが検出されると、当該操作が無効であることをユーザに通知する。また通知部７は、検出部６により命令入力部２に対して、命令割当部５により割り当ての無効とされた特定の命令を入力するための操作の行われたことが検出されると、当該操作が無効であることを通知することに加えて、ユーザに対し実行処理制限モードから実行処理非制限モードへ切り替えるように促すこともできる。
【００１２】
さらに命令入力装置１において、表示制御部８は、モード設定部３により実行処理非制限モードに設定されたとき、表示部４に対して入力支援画像を表示し、モード設定部３により実行処理制限モードに設定されたとき、表示部４の表示能力よりも低い表示能力を有する簡易表示部９に対し、命令入力部２を介して入力される命令に応じた処理の実行状況を通知する処理実行状況通知情報を表示するように、当該表示部４及び簡易表示部９の表示を制御する。なお第１の実施の形態の場合、命令入力装置１には、表示部４及び簡易表示部９をそれぞれ着脱可能に設けるようにしても良いし、当該命令入力装置１の一部として固定的に設けるようにしても良い。
【００１３】
以上の構成において、命令入力装置１は、ユーザにより命令入力部２を介して命令が入力される際、モード設定部３により、命令入力支援用の入力支援画像を表示可能な表示能力を有する表示部４に対し当該入力支援画像を表示させることで、当該命令の入力に応じて実行される処理を制限しない実行処理非制限モード、又は表示部４に対し入力支援画像を非表示として、命令の入力に応じて実行される処理を制限する実行処理制限モードに設定すると共に、命令割当部５により、かかる実行処理非制限モード及び実行処理制限モードの設定に応じて、命令入力部２に割り当てる入力可能な命令のうち少なくとも１つの命令を変更する。
【００１４】
従って命令入力装置１は、実行処理非制限モードに設定すると、命令入力部２と共に、表示部４に表示させた入力支援画像を利用させて各種命令を容易に入力させながら、これら各種命令の入力に応じて全ての処理を何ら制限せずに実行させることができる。これに対して命令入力装置１は、実行処理制限モードに設定すると、実行される処理を制限し、かつ命令入力部２に割り当てる入力可能な命令のうち少なくとも１つの命令を変更することで、入力支援画像を特には利用させずに、命令入力部２のみを利用させて命令を入力させることができる。
【００１５】
以上の構成によれば、命令入力装置１において、各種命令を入力するための命令入力部２を介して命令が入力される際、命令入力支援用の入力支援画像を表示可能な表示能力を有する表示部４に対し当該入力支援画像を表示させ、命令の入力に応じて実行される処理を制限しない実行処理非制限モード、又は表示部４に対し入力支援画像を非表示として、命令の入力に応じて実行される処理を制限する実行処理制限モードに設定し、当該設定した実行処理非制限モード及び実行処理制限モードに応じて、命令入力部２に割り当てる入力可能な命令のうち少なくとも１つの当該命令を変更するようにした。これにより命令入力装置１は、実行処理非制限モードに設定したときには、命令入力部２と共に、表示部４に表示させた入力支援画像を利用させて各種命令を容易に入力させ、実行処理制限モードに設定したときには、処理の制限と命令入力部２に割り当てる命令の変更とに応じて、入力支援画像を特には利用させなくても命令入力部２のみを利用させて命令を入力させることができる。よって命令入力装置１は、ユーザに対し使用状況に応じた命令入力用の操作を提供して使い勝手を向上させることができる。
【００１６】
また命令入力装置１は、実行処理制限モードに設定したとき、命令入力部２に対して割り当てる入力可能な命令のうち制限する処理を実行させるための特定の命令に対する割り当てを無効にしている。従って命令入力装置１では、実行処理制限モードのときには、実行される処理の制限に応じて命令入力部２に対して行われる命令入力用の操作も制限することができ、かくしてユーザの行う命令入力用の操作を簡易化することができる。そして命令入力装置１は、実行処理制限モードに設定したとき、命令入力部２に対して割り当ての無効とされた特定の命令を入力するための操作が行われたことを検出すると、かかる操作が無効であることをユーザに通知するようにした。従って命令入力装置１では、命令入力部２に対する特定の命令の割り当てを無効にしても、当該割り当てを無効にした命令をユーザに対し教えることができる。よって命令入力装置１では、実行処理制限モードに設定したときには、ユーザに対し命令入力部２を操作させながら、かかる実行処理制限モードの設定に応じて制限した命令入力用の操作を容易に認識させることができる。さらに命令入力装置１は、実行処理制限モードに設定したときに、命令入力部２に対し、割り当ての無効とされた特定の命令を入力するための操作の行われたことを検出すると、ユーザに対して実行処理制限モードから実行処理非制限モードへ切り替えるように促すようにした。従って命令入力装置１は、ユーザが実行処理制限モードに設定していること、すなわち処理が制限されていることを忘れて、その時点で制限されている処理を実行させようとした場合、かかる処理を実行するには実行処理非制限モードに移行する必要があることを的確に教えることができる。
【００１７】
さらに命令入力装置１は、表示制御部８により、実行処理制限モード時には表示部４の表示能力よりも低い表示能力を有する簡易表示部９に対し処理実行状況通知情報を表示させるようにした。従って命令入力装置１では、実行処理制限モード時に、処理実行状況通知情報によって処理の実行状況をユーザに対して的確に通知することができる。
【００１８】
（２）第２の実施の形態
図２において、２０は全体として第２の実施の形態による記録再生装置のハードウェア回路ブロックによるハードウェア構成を示す。かかる記録再生装置２０は、自己の筐体表面やリモートコントローラ（図示せず）に設けられた各種操作キーでなる操作入力部２１がユーザによって命令入力用に操作（以下、これを入力操作と呼ぶ）されると、その入力操作に応じた操作入力信号を入力処理部２２に送出する。入力処理部２２は、操作入力部２１から与えられる操作入力信号に対して所定の処理を施すことにより、当該操作入力信号を対応する命令（すなわち、コマンド）に変換し、これをバス２３を介して中央処理ユニット（CPU:Central Processing Unit ）２４に送出する。
【００１９】
中央処理ユニット２４は、ＲＯＭ（Read Only Memory）２５又はハードディスクドライブ２６に予め記憶されている基本プログラムや命令入力環境設定プログラム等の各種プログラムをバス２３を介してＲＡＭ（Random Access Memory）２７に読み出す。そして中央処理ユニット２４は、ＲＡＭ２７に読み出した各種プログラムに従って全体を制御すると共に、所定の演算処理や、入力処理部２２から与えられる命令に応じた各種処理を実行する。
【００２０】
これにより中央処理ユニット２４は、記録再生装置２０に対し例えばＣＤ（Compact Disc）が装填されると、当該ＣＤに記録されている楽曲データを再生するＣＤ再生処理や、当該楽曲データをハードディスクドライブ２６に記録するＣＤ録音処理を実行することができる。この場合、ＣＤには、データ記録面に楽曲データ記録領域と管理データ記録領域とが設けられている。かかる楽曲データ記録領域には、複数楽曲の楽曲データが記録されている。また管理データ記録領域には、楽曲データ記録領域に記録されている楽曲データを管理するための、個々の楽曲データに対する再生時間や、再生順序、その楽曲データ記録領域における再生開始位置等のＴＯＣ（Table Of Contents ）と呼ばれる管理データが記録されている。従って中央処理ユニット５３は、ＣＤ再生処理時、メディアドライブ２８によりＣＤの楽曲データ記録領域から楽曲データを読み出すと共に、当該読み出した楽曲データを音声処理部２９に送出して復号処理やデジタルアナログ変換処理等の所定の音声処理を施し、その結果得られた楽曲信号をスピーカ３０に送出する。このようにして中央処理ユニット２４は、スピーカ３０から楽曲信号に基づく楽曲を出力させてユーザに聴取させることができる。
【００２１】
また中央処理ユニット２４は、ＣＤ録音処理時、メディアドライブ２８によりＣＤの楽曲データ記録領域から楽曲データを読み出すと共に、当該読み出した楽曲データをハードディスクドライブ２６に送出してハードディスクに記録する。このとき中央処理ユニット２４は、メディアドライブ２８によりＣＤの管理データ記録領域から管理データも読み出す。そして中央処理ユニット２４は、かかる管理データに基づきＣＤ固有の管理情報を生成し、当該生成した管理情報を通信処理部３１及びネットワークインタフェース３２を順次介してネットワークＮＴ上のディスク情報提供サーバ（図示せず）に送信する。ここで、ディスク情報提供サーバは、ＣＤに記録された楽曲データに基づく楽曲の曲名や当該楽曲を演奏しているアーティストのアーティスト名等のディスク情報を、個々のＣＤ毎にＣＤ固有の管理情報とを対応付けて記憶しており、当該ＣＤ毎のディスク情報を管理情報により特定して提供し得るようになされている。従って中央処理ユニット２４は、ディスク情報提供サーバに管理情報を送信した結果、当該ディスク情報提供サーバから、録音中のＣＤに関するディスク情報が送信されると、これをネットワークインタフェース３２及び通信処理部３１を順次介して受信すると共に、当該受信したディスク情報をハードディスクドライブ２６に送出して、ＣＤから録音する楽曲データに関連付けてハードディスクに記録する。
【００２２】
さらに中央処理ユニット２４は、ネットワークＮＴを利用して楽曲データを購入する楽曲購入処理時、通信処理部３１及びネットワークインタフェース３２を順次介してネットワークＮＴ上の楽曲配信サーバ（図示せず）にアクセスし、購入可能な楽曲データのリスト（以下、これを購入可能楽曲リストと呼ぶ）を取得する。その状態で中央処理ユニット２４は、ユーザにより、購入可能楽曲リストから購入希望の楽曲データが選択されると、これに応じて通信処理部３１及びネットワークインタフェース３２を順次介して楽曲配信サーバに対し、当該ユーザにより選択された楽曲データの購入を要求する購入要求データを送信する。その結果、中央処理ユニット２４は、楽曲配信サーバからユーザにより購入希望された楽曲データが、当該楽曲データに基づく楽曲の曲名や当該楽曲を演奏しているアーティストのアーティスト名等の楽曲関連情報と共に送信されると、これらをネットワークインタフェース３２及び通信処理部３１を順次介して受信すると共に、当該受信した楽曲データ及び楽曲関連情報をハードディスクドライブ２６に送出して互いに関連付けてハードディスクに記録する。このとき中央処理ユニット２４は、楽曲データの購入に必要なユーザの個人情報（例えば、ユーザの氏名や居所、楽曲データの購入の決済に用いる口座番号等）を通信処理部３１及びネットワークインタフェース３２を順次介して楽曲配信サーバに送信することで、当該楽曲配信サーバにおいて楽曲データの購入に対する課金処理を実行させる。これにより中央処理ユニット２４は、かかる楽曲配信サーバから楽曲データを購入することができる。
【００２３】
ところで楽曲配信サーバは、記録再生装置２０に提供する購入可能楽曲リストに対し、購入可能な楽曲データについて試聴が許可されている場合、その試聴用に用意された試聴楽曲データ（例えば、試聴の許可された楽曲データの一部でなる）の提供元を示すネットワークアドレス（以下、これを試聴楽曲アドレスと呼ぶ）を付加している。従って中央処理ユニット２４は、楽曲購入時に楽曲配信サーバから購入可能楽曲リストを取得すると、当該購入可能楽曲リストに付加された試聴楽曲アドレスを収集する。そして中央処理ユニット２４は、その収集した試聴楽曲アドレスに従い通信処理部３１及びネットワークインタフェース３２を順次介して試聴楽曲データをストリーミング形式で自動的に受信しながら、当該受信した試聴楽曲データを音声処理部２９に送出して音声処理を施し、その結果得られた試聴楽曲信号をスピーカ３０に送出する。このようにして中央処理ユニット２４は、スピーカ３０から試聴楽曲信号に基づく試聴楽曲を自動的に連続出力させてユーザに試聴させることができる。
【００２４】
さらに中央処理ユニット２４は、上述したようにしてハードディスクドライブ２６に記録している楽曲データを再生するハードディスク再生処理時、当該ハードディスクドライブ２６から楽曲データを読み出すと共に、当該読み出した楽曲データを音声処理部２９に送出して音声処理を施し、その結果得られた楽曲信号をスピーカ３０に送出することによりスピーカ３０から当該楽曲信号に基づく楽曲を出力させる。このようにして中央処理ユニット２４は、ＣＤから録音した楽曲データやネットワークＮＴを利用して購入した楽曲データに基づく楽曲をユーザに聴取させることができる。因みに中央処理ユニット２４は、ハードディスクドライブ２６に楽曲データを記録している場合、当該ハードディスクドライブ２６に楽曲データと関連付けて記録しているディスク情報及び楽曲関連情報を用いて当該楽曲データの再生順序を編集させる編集処理を実行することもできる。
【００２５】
さらに中央処理ユニット２４は、ネットワークＮＴを利用してＣＤを購入するＣＤ購入時、通信処理部３１及びネットワークインタフェース３２を順次介してネットワークＮＴ上のＣＤ販売サーバ（図示せず）にアクセスし、購入可能なＣＤのリスト（以下、これを購入可能ＣＤリストと呼ぶ）を取得する。そして中央処理ユニット２４は、ユーザにより、かかる購入可能ＣＤリストから購入希望のＣＤが選択されると、これに応じて通信処理部３１及びネットワークインタフェース３２を順次介してＣＤ販売サーバに、当該ユーザにより選択されたＣＤの購入を要求する購入要求データを送信する。また中央処理ユニット２４は、このときＣＤの購入に必要なユーザの個人情報（例えば、ユーザの氏名や居所、楽曲データの購入の決済に用いる口座番号等）を通信処理部３１及びネットワークインタフェース３２を順次介してＣＤ販売サーバに送信することで、当該ＣＤ販売サーバにおいてＣＤの購入に対する課金処理を実行させる。そして中央処理ユニット２４は、かかるＣＤ販売サーバからＣＤの購入に対する課金処理の終了したことを示す課金処理終了情報が送信されると、これをネットワークインタフェース３２及び通信処理部３１を順次介して受信すると共に、当該課金処理終了情報に基づきユーザに対しＣＤの購入が完了したことを通知する。このようにして中央処理ユニット２４は、ユーザに対しネットワークＮＴを利用させてＣＤを購入させることができる。
【００２６】
かかる構成に加えてこの記録再生装置２０には、液晶ディスプレイや陰極線管等の表示部３３が設けられると共に、冷陰極管等の簡易表示部３４も設けられている。この場合、表示部３３は、仮名や漢字等の文字及び図形を種々のフォントで表示し得ると共に、静止画像や動画像のような画像も種々の表示サイズでカラー表示し得る等のように比較的高い表示能力を有している。また簡易表示部３４は、表示可能な文字や図形が制限され、当該文字や図形を数行（１行乃至５行程度）程度表示し得ると共に、画像は表示し得ない等のように、表示部３３の表示能力よりも低い所定の表示能力を有している。
【００２７】
中央処理ユニット２４は、ユーザにより操作入力部２１を介して各種命令が入力される際、表示部３３及び簡易表示部３４の何れか一方のみを選択的に使用する。そして中央処理ユニット２４は、ユーザにより操作入力部２１を介して各種命令が入力される際に表示部３３を使用すると、当該表示部３３に対し表示処理部３５を介して、各種命令を選択するための複数の表示子（以下、これをアイコンと呼ぶ）や選択項目の一覧でなる選択項目リスト等と、これらを選択するための指示子（以下、これをカーソルと呼ぶ）とを有する命令入力支援用の入力支援画像を表示する。従って中央処理ユニット２４は、表示部３３を使用したときには、操作入力部２１と表示部３３に表示する入力支援画像とによりＧＵＩ（Graphical User Interface）を実現して、ユーザに対し各種命令を入力し易くすると共に、選択項目を選択し易くしている。また中央処理ユニット２４は、ユーザにより操作入力部２１を介して各種命令が入力される際に簡易表示部３４を使用すると、当該簡易表示部３４に対し表示処理部３５を介して、処理の実行状況を限られた文字や図形等で通知するための処理実行状況通知情報を表示する。従って中央処理ユニット２４は、簡易表示部３４を使用したときには、表示部３３に対し入力支援画像を表示させないため、操作入力部２１のみで命令を入力させつつ、かかる命令に応じた処理の実行状況を簡易表示部３４の表示内容によりユーザに通知している。
【００２８】
またこの記録再生装置２０の場合、操作入力部２１には、ユーザによる入力操作に応じて入力可能な命令として、上述したＣＤ再生処理、ＣＤ録音処理、楽曲購入処理、ＣＤ購入処理及び編集処理等の実行可能な各種処理の中から実行させる処理を選択するための処理選択命令が割り当てられた操作キー（以下、これを処理選択命令入力操作キーと呼ぶ）が含まれている。また操作入力部２１には、ユーザによる入力操作に応じて入力可能な命令として、ＣＤ再生処理を実行するためのＣＤ再生命令、ＣＤ録音処理を実行するためのＣＤ録音命令、楽曲購入処理を実行するための楽曲購入命令、ＣＤ購入処理を実行するためのＣＤ購入命令、編集処理を実行するための編集命令等がそれぞれ割り当てられた操作キー（以下、これらをそれぞれＣＤ再生命令入力操作キー、ＣＤ録音命令入力操作キー、楽曲購入命令入力操作キー、ＣＤ購入命令入力操作キー、編集命令入力操作キーと呼ぶ）も含まれている。
【００２９】
さらに操作入力部２１には、ユーザによる入力操作に応じて入力可能な命令として、上述した入力支援画像上で命令選択用の各種アイコンや選択項目リスト内の個々の選択項目を選択させるカーソルを当該画像の垂直方向及び水平方向に沿って上下左右の４方向にそれぞれ移動させるための上移動命令、下移動命令、左移動命令及び右移動命令や、当該アイコン及び選択項目のカーソルによる選択を決定するための決定命令がそれぞれ割り当てられた操作キー（以下、これらをそれぞれ上移動命令入力操作キー、下移動命令入力操作キー、左移動命令入力操作キー、右移動命令入力操作キー、決定命令入力操作キーと呼ぶ）も含まれている。さらにまた操作入力部２１には、ユーザによる入力操作に応じて入力可能な命令として、記録再生装置２０で実行可能な全ての処理を何ら制限せずに実行する実行処理非制限モードを選択するための処理非制限命令や、当該実行可能な処理を制限する実行処理制限モードを選択するための処理制限命令がそれぞれ割り当てられた操作キー（以下、これらをそれぞれ処理非制限命令入力操作キー、処理制限命令入力操作キーと呼ぶ）等も含まれている。
【００３０】
そして中央処理ユニット２４は、ユーザにより処理非制限命令入力操作キーが入力操作されることにより処理非制限命令が入力されると、これに応じて、ユーザにより操作入力部２１を介して入力される各種命令に応じて実行する処理を何ら制限しないと共に、当該命令の入力される際には簡易表示部３４を使用せずに表示部３３に対し入力支援画像を表示させる実行処理非制限モードに設定する。この場合、中央処理ユニット２４は、操作入力部２１を構成する全ての操作キーに対する命令の割り当てを予め設定された割り当てのまま変更しないようにする。
【００３１】
この状態で中央処理ユニット２４は、ユーザにより処理選択命令入力操作キーが入力操作され処理選択命令が入力されると、例えばハードディスクドライブ２６のハードディスクに予め記録している実行可能な全ての処理の処理名を選択項目とした選択項目リストを用いて入力支援画像データを生成する。そして中央処理ユニット２４は、かかる入力支援画像データを、表示処理部３５を介して表示部３３に送出することにより当該表示部３３に対し入力支援画像データに基づく図３に示すような処理選択用の入力支援画像（以下、これを処理選択用入力支援画像と呼ぶ）４０を表示する。
【００３２】
図３に示すように処理選択用入力支援画像４０には、実行可能な全ての処理の処理名を選択項目として一覧表示する選択項目リスト４１が設けられている。また処理選択用入力支援画像４０には、選択項目リスト４１内で何れか１つの処理名を囲むようにして任意に選択させるためのカーソル４２が表示されている。さらに処理選択用入力支援画像４０には、操作入力部２１を構成する各種操作キーのうち、当該処理選択用入力支援画像４０上で処理名を任意に選択する際にカーソル４２を上下に移動させるための上移動命令入力操作キー及び下移動命令入力操作キーと、実行中の処理を１つ前に実行した処理に戻すための操作キーと、カーソル４２による選択を決定するための決定命令入力操作キーとをユーザに知らせる操作キーマーク４３乃至４６が表示されている。因みに操作キーマーク４３乃至４６は、対応する操作キーに描かれている絵柄等と一致していることにより、ユーザに対し処理選択用入力支援画像４０上で命令の入力や処理名の選択に利用可能な操作キーを容易に知らせることができる。
【００３３】
中央処理ユニット２４は、表示部３３に対し、かかる処理選択用入力支援画像４０を表示した状態で上移動命令入力操作キー及び又は下移動命令入力操作キーに対する入力操作により上移動命令及び又は下移動命令が入力されると、これに応じて当該処理選択用入力支援画像４０上でカーソル４２を上下に移動させることにより選択項目リスト４１内で、実行する処理の処理名を任意に選択させる。そして中央処理ユニット２４は、決定命令入力操作キーに対する入力操作により決定命令が入力されると、その時点で選択されている処理名を、実行する処理として認識して当該処理（すなわち、ＣＤ再生処理、ＣＤ録音処理、楽曲購入処理、ＣＤ購入処理及び編集処理等）を実行する。このようにして中央処理ユニット２４は、実行処理非制限モードに設定しているときには、処理選択用入力支援画像４０によりユーザに対し選択可能な選択項目（すなわち、この場合には処理名）等を直観的に認識させている。
【００３４】
因みに中央処理ユニット２４は、上述したようにユーザに対し、実行すべき処理を操作入力部２１及び処理選択用入力支援画像４０の両方を利用させて選択させることもできるが、操作入力部２１に含まれるＣＤ再生命令入力操作キー、ＣＤ録音命令入力操作キー、楽曲購入命令入力操作キー、ＣＤ購入命令入力操作キー及び編集命令入力操作キー等に対する入力操作に応じてＣＤ再生命令、ＣＤ録音命令、楽曲購入命令、ＣＤ購入命令及び編集命令等が入力されたとき、その入力に応じて対応するＣＤ再生処理、ＣＤ録音処理、楽曲購入処理、ＣＤ購入処理及び編集処理等を実行することもできる。
【００３５】
中央処理ユニット２４は、例えばＣＤ再生処理の実行要求に応じて当該ＣＤ再生処理を開始したときには、上述したＣＤ録音時と同様にメディアドライブ２８によりＣＤの管理データ記録領域から管理データを読み出すようにして、当該読み出した管理データに基づきディスク情報提供サーバから当該ＣＤに関するディスク情報を取得する。そして中央処理ユニット２４は、かかるディスク情報を用いて入力支援画像データを生成する。これにより中央処理ユニット２４は、かかる入力支援画像データを、表示処理部３５を介して表示部３３に送出することで、当該表示部３３に対し入力支援画像データに基づく図４に示すようなＣＤ再生処理用の入力支援画像（以下、これをＣＤ再生用入力支援画像と呼ぶ）５０を表示する。
【００３６】
図４に示すようにＣＤ再生用入力支援画像５０には、アーティスト名表示欄５１や、楽曲の曲名及び再生時間を選択項目として一覧表示する選択項目リスト５２が設けられている。アーティスト名表示欄５１には、再生用のＣＤに記録された楽曲データに基づく楽曲を演奏しているアーティストのアーティスト名が表示される。また選択項目リスト５２には、再生用のＣＤに記録された複数の楽曲データに基づく楽曲の曲名及び再生時間が、当該ＣＤの管理データで規定された再生順序に従い表示される。さらにＣＤ再生用入力支援画像５０には、楽曲データに対する再生開始命令、再生一時停止命令、再生停止命令、当該楽曲データの再生順序（すなわち、ＣＤの管理データで規定された再生順序）に従い１つ前の楽曲データの再生に戻る早戻し命令、その再生順序に従い１つ後の楽曲データの再生に移る早送り命令を選択させるためのアイコン５３乃至５７も設けられている。さらにＣＤ再生用入力支援画像５０には、選択項目リスト５２内で曲名及び対応する再生時間の何れか一組を囲むようにして曲名を任意に選択させるためのカーソル５８も表示されている。
【００３７】
さらにＣＤ再生用入力支援画像５０には、操作入力部２１を構成する各種操作キーのうち、当該ＣＤ再生用入力支援画像５０上で曲名やアイコン５３乃至５７を任意に選択する際にカーソル５８を上下左右にそれぞれ移動させるための上移動命令入力操作キー、下移動命令入力操作キー、左移動命令入力操作キー及び右移動命令入力操作キーと、実行中の処理を１つ前に実行した処理に戻すための操作キーと、カーソル５８による選択を決定するための決定命令入力操作キーとをユーザに知らせる操作キーマーク５９乃至６４が表示されている。因みに操作キーマーク５９乃至６４は、対応する操作キーに描かれている絵柄等と一致していることにより、ユーザに対しＣＤ再生用入力支援画像５０上で命令の入力や選択項目の選択に利用可能な操作キーを容易に知らせることができる。
【００３８】
中央処理ユニット２４は、表示部３３に対し、かかるＣＤ再生用入力支援画像５０を表示した状態で上移動命令入力操作キー、下移動命令入力操作キー、左移動命令入力操作キー及び又は右移動命令入力操作キーに対する入力操作により上移動命令、下移動命令、左移動命令及び又は右移動命令が入力されると、これに応じて当該ＣＤ再生用入力支援画像５０上でカーソル５８を上下左右に移動させることによりアイコン５３乃至５７や曲名を任意に選択させる。そして中央処理ユニット２４は、決定命令入力操作キーに対する入力操作により決定命令が入力されると、その時点で選択されている曲名を再生対象の楽曲データとして認識し、又は当該選択されているアイコン５３乃至５７の示す命令に応じた処理を実行する。このようにして中央処理ユニット２４は、実行処理非制限モードに設定しているときには、ＣＤ再生用入力支援画像５０によりユーザに対し選択可能な選択項目（すなわち、この場合には曲名）や入力可能な命令（すなわち、この場合には再生開始命令等）等を直観的に認識させて、当該選択項目を選択し易くし得ると共に各種命令を入力し易くしている。
【００３９】
因みに中央処理ユニット２４は、実行処理非制限モードに設定しているときに、ＣＤ録音処理、楽曲購入処理、ＣＤ購入処理及び編集処理等を開始すると、詳述はしないがこのときにもＣＤ再生処理を開始したときと同様に、当該開始した処理用の入力支援画像（例えば、各種命令を選択させるためのアイコンを有すると共に、購入可能な楽曲データの曲名、購入可能なＣＤのタイトル、再生対象の楽曲データの曲名等を選択項目とする選択項目リストを有する）を表示部３３に表示する。これにより中央処理ユニット２４は、操作入力部２１と、かかる入力支援画像とによりＧＵＩを実現して当該操作入力部２１に対する入力操作に応じて入力支援画像上で各種命令を入力させ、また選択項目を選択させるようにして上述したＣＤ録音処理、楽曲購入処理、ＣＤ購入処理及び編集処理等を実行する。
【００４０】
一方、中央処理ユニット２４は、ユーザにより処理制限命令入力操作キーが入力操作され処理制限命令が入力されると、これに応じて、ユーザにより操作入力部２１を介して入力される命令に応じて実行する処理を制限し、かつ当該命令の入力される際には表示部３３に対し入力支援画像を表示させずに、簡易表示部３４に対し処理実行状況通知情報を表示させる実行処理制限モードに設定する。この場合、中央処理ユニット２４は、表示部３３に対し入力支援画像を非表示としているため、実行可能な全ての処理のうち当該入力支援画像を表示しなければ、対応する各種命令を入力し難い例えば楽曲購入処理やＣＤ購入処理、再生順序の編集処理を実行しないように制限する。また中央処理ユニット２４は、このとき入力支援画像の非表示に応じて、入力支援画像上でカーソルを移動させてアイコン及び選択項目を選択させる処理等も実行しないように制限する。
【００４１】
さらに図５に示すように、中央処理ユニット２４は、後述するように入力処理部２２により、実行する処理の制限に応じて、操作入力部２１を構成する全ての操作キーに割り当てる命令のうち少なくとも１つの命令を変更すると共に、当該制限した処理を実行するための命令の割り当てを無効にする。この場合、中央処理ユニット２４は、例えば実行処理非制限モード時には入力支援画像上でカーソルを上方向に移動させるための上移動命令が割り当てられていた上移動命令入力操作キーに対し、当該上移動命令に替えて、選択項目リスト（この場合、選択項目リスト自体は表示しない）内の選択項目をその並びに従い一方向に順次辿るようにして選択するための一方向順次選択命令を割り当てる。また中央処理ユニット２４は、実行処理非制限モード時には入力支援画像上でカーソルを下方向に移動させるための下移動命令が割り当てられている下移動命令入力操作キーに対し、当該下移動命令に替えて、選択項目リスト（この場合も、選択項目リスト自体は表示しない）内の選択項目をその並びに従い他方向に順次辿るようにして選択するための他方向順次選択命令を割り当てる。
【００４２】
因みに中央処理ユニット２４は、実行処理制限モードではユーザにより上移動命令入力操作キーが入力操作されると、その都度、選択項目リスト内で一方向に順次辿るようにして選択項目を選択させるものの、当該一方向の端に位置する選択項目が選択された後、さらに上移動命令入力操作キーが入力操作されると、他方向の端に位置する選択項目を選択させる。このようにして中央処理ユニット２４は、実行処理制限モード時には、ユーザにより上移動命令入力操作キーが入力操作される毎に、選択項目リスト内で選択項目を他方向の端から一方向の端へ循環的（すなわち、トグル式）に順次選択させる。また中央処理ユニット２４は、実行処理制限モードではユーザにより下移動命令入力操作キーが入力操作されると、その都度、選択項目リスト内で他方向に順次辿るようにして選択項目を選択させるものの、当該他方向の端に位置する選択項目が選択された後、さらに下移動命令入力操作キーが入力操作されると、一方向の端に位置する選択項目を選択させる。このようにして中央処理ユニット２４は、実行処理制限モード時には、ユーザにより下移動命令入力操作キーが入力操作される毎に、選択項目リスト内で選択項目を一方向の端から他方向の端へ循環的（すなわち、トグル式）に順次選択させる。
【００４３】
さらに中央処理ユニット２４は、実行処理非制限モード時にはＣＤ再生命令が割り当てられているＣＤ再生命令入力操作キーに対して、当該ＣＤ再生命令に替えて、ＣＤに記録されている楽曲データの再生を開始するための再生開始命令と、当該再生を停止させるための再生停止命令とを割り当てる。そして中央処理ユニット２４は、実行処理制限モードでは、ユーザによりＣＤ再生命令入力操作キーが入力操作される毎に、再生開始命令と再生停止命令とを順次交互に入力し得るようにする。さらに中央処理ユニット２４は、実行処理非制限モード時にはＣＤ録音命令が割り当てられているＣＤ録音命令入力操作キーに対して、当該ＣＤ録音命令に替えて、ＣＤに記録されている楽曲データの録音を開始するための録音開始命令と、当該録音を停止させるための録音停止命令とを割り当てる。そして中央処理ユニット２４は、実行処理制限モードでは、ユーザによりＣＤ録音命令入力操作キーが入力操作される毎に、録音開始命令と録音停止命令とを順次交互に入力し得るようにする。
【００４４】
これに加えて中央処理ユニット２４は、実行処理非制限モード時には楽曲購入命令が割り当てられている楽曲購入命令入力操作キーに対して、当該楽曲購入命令に替えて、購入可能な楽曲データを試聴するための試聴命令を割り当てる。なおこの実施の形態の場合、中央処理ユニット２４は、実行処理制限モード時、上移動命令入力操作キーに対してはＣＤから楽曲データを再生するときにのみ有効な、当該楽曲データの再生順序に従い１つ前の楽曲データの再生に戻る早戻し命令も割り当てる。また中央処理ユニット２４は、実行処理制限モード時、下移動命令入力操作キーに対してはＣＤから楽曲データを再生するときにのみ有効な、当該楽曲データの再生順序に従い１つ後の楽曲データの再生に移る早送り命令も割り当てる。
【００４５】
ところで中央処理ユニット２４は、実行処理非制限モード時には入力支援画像上でカーソルを左方向に移動させるための左移動命令が割り当てられていた左移動命令入力操作キーや、入力支援画像上でカーソルを右方向に移動させるための右移動命令が割り当てられていた右移動命令入力操作キーに対し、当該左移動命令及び右移動命令の入力に応じたカーソルの左方向及び右方向への移動の処理を実行しないように制限したため、かかる左移動命令及び右移動命令の割り当てを無効にする。また中央処理ユニット２４は、実行処理非制限モード時にはＣＤ購入命令が割り当てられていたＣＤ購入命令入力操作キーや、編集命令が割り当てられていた編集命令入力操作キーについても、当該ＣＤ購入命令及び編集命令の入力に応じたＣＤ購入処理及び編集処理を実行しないように制限したため、かかるＣＤ購入命令及び編集命令の割り当てを無効にする。
【００４６】
これに対して中央処理ユニット２４は、実行処理非制限モード時には決定命令が割り当てられていた決定命令入力操作キーや、処理選択命令入力操作キーについては、これらに割り当てている決定命令や、処理選択命令を変更しないようにする。また中央処理ユニット２４は、処理非制限命令入力操作キー及び処理制限命令入力操作キーについても、これらに割り当てている処理非制限命令及び処理制限命令を変更しないようにする。これにより中央処理ユニット２４は、ユーザに対し処理非制限命令入力操作キー及び処理制限命令入力操作キーを何時でも自由に入力操作させて、実行処理非制限モード及び実行処理制限モードに交互に移行して設定することができる。
【００４７】
中央処理ユニット２４は、実行処理制限モードに設定した状態で例えばユーザにより処理選択命令入力操作キーが入力操作され処理選択命令が入力されると、ハードディスクドライブ２６から実行可能な全ての処理の処理名を選択項目とした選択項目リスト４１を読み出す。そして図６に示すように、中央処理ユニット２４は、かかる選択項目リスト４１から、実行を制限した処理の処理名を削除すると共に、操作キー（例えば、楽曲購入命令入力操作キー）に割り当てる命令の変更に応じて、実行する処理（楽曲購入処理から試聴処理へ変更）の処理名を変更するようにして当該選択項目リスト４１の内容を編集し、新たな選択項目リスト７０を得る。この状態で中央処理ユニット２４は、ユーザにより上移動命令入力操作キーや下移動命令入力操作キーが入力操作され一方向順次選択命令や他方向順次選択命令が入力されると、内部処理として選択項目リスト７０を特には表示せずに、その中から処理名を任意に選択させる。また中央処理ユニット２４は、引き続きユーザにより決定命令入力操作キーが入力操作され決定命令が入力されると、その時点で選択されていた処理名の当該選択を決定し、かかる処理名を実行する処理として認識すると共に、当該認識した処理を実行する。
【００４８】
このとき図７（Ａ）及び（Ｂ）に示すように、中央処理ユニット２４は、ユーザにより処理名が選択される毎に、処理の実行状況として処理名が選択されたことを通知するための処理実行状況通知情報７１Ａ及び７１Ｂを生成し、当該生成した処理実行状況通知情報７１Ａ及び７１Ｂを、表示処理部３５を介して簡易表示部３４に送出する。これにより中央処理ユニット２４は、簡易表示部３４に対し処理実行通知情報７１Ａ及び７１Ｂとしてユーザにより選択された処理名を示す文字等を表示する。このようにして中央処理ユニット２４は、ユーザにより当該選択項目リスト７０内の処理名が任意に選択されると、選択項目リスト７０を特には表示していなくても、簡易表示部３４の表示内容によって当該ユーザに対し、実行する処理の処理名が選択されたことを通知することができる。
【００４９】
また図８（Ａ）乃至（Ｃ）に示すように、中央処理ユニット２４は、ユーザによる処理名の選択に応じて例えばＣＤ再生処理を実行すると、当該ＣＤ再生処理の実行状況を通知するための処理実行状況通知情報７２Ａ乃至７２Ｃを生成し、当該生成した処理実行状況通知情報７２Ａ乃至７２Ｃを、表示処理部３５を介して簡易表示部３４に送出する。これにより中央処理ユニット２４は、例えばＣＤに記録された楽曲データを再生している間は、簡易表示部３４に対し処理実行通知情報７２Ａとして当該ＣＤから楽曲データが再生中であることを示す文字等を表示する。また中央処理ユニット２４は、例えばＣＤに記録された楽曲データを再生している途中でユーザにより下移動命令入力操作キーが入力操作され早送り命令が入力されると、このとき楽曲データの再生を早送りすると共に、簡易表示部３４に対し処理実行通知情報７２Ｂとして当該ＣＤから楽曲データを再生中であるものの、かかる楽曲データの再生を早送りしたことを示す文字及び図形等を表示する。さらに中央処理ユニット２４は、例えばＣＤに記録された全ての楽曲データを再生し終えたとき、又は当該楽曲データの再生中に、ユーザによりＣＤ再生命令入力操作キーが入力操作され再生停止命令が入力されると、簡易表示部３４に対しかかる処理実行通知情報７２Ｃとして当該ＣＤからの楽曲データの再生が終了したことを示す文字等を表示する。
【００５０】
因みに中央処理ユニット２４は、ユーザによる処理名の選択に応じて試聴処理を実行すると、通信処理部３１及びネットワークインタフェース３２を介して楽曲配信サーバから購入可能楽曲リストを取得すると共に、当該取得した購入可能楽曲リストに付加された試聴楽曲アドレスを収集する。そして中央処理ユニット２４は、その収集した試聴楽曲アドレスに従い通信処理部３１及びネットワークインタフェース３２を順次介して試聴楽曲データをストリーミング形式で自動的に受信しながら、当該受信した試聴楽曲データを音声処理部２９に送出して音声処理を施し、その結果得られた試聴楽曲信号をスピーカ３０に送出する。このようにして中央処理ユニット２４は、スピーカ３０から試聴楽曲信号に基づく試聴楽曲を自動的に連続出力させてユーザに試聴させることができる。
【００５１】
また中央処理ユニット２４は、実行処理制限モードでは、上述したようにユーザに対し項目選択リスト７０を利用させて、実行すべき処理を選択させることもできるが、操作入力部２１に含まれるＣＤ再生命令入力操作キー、ＣＤ録音命令入力操作キー、割当命令が試聴命令に変更された楽曲購入命令入力操作キー等に対する入力操作に応じて当該ＣＤ再生命令、ＣＤ録音命令、試聴命令等が入力されたとき、その入力に応じて対応するＣＤ再生処理、ＣＤ録音処理、試聴処理等を実行することもできる。
【００５２】
ところでこの実施の形態の場合、入力処理部２２は、図５について上述したような、実行処理非制限モード時に各種操作キーと、これら各種操作キーに割り当てられる命令とを対応付けて示す第１の命令割当テーブルを保持している。また入力処理部２２は、実行処理制限モード時に各種操作キーと、これら各種操作キーに割り当てる命令（割り当ての無効も含む）とを対応付けて示す第２の命令割当テーブルも保持している。そして入力処理部２２は、中央処理ユニット２４から実行処理非制限モード及び実行処理制限モードに設定したことが通知されると、これに応じて実行処理非制限モード時には操作入力信号に応じた命令の生成に第１の命令割当テーブルを使用し、実行処理制限モード時には操作入力信号に応じた命令の生成に第２の命令割当テーブルを使用するように設定する。また操作入力部２１を構成する各種操作キーは、ユーザによって入力操作されると、自己が入力操作されたことを示す操作入力信号を入力処理部２２に送出する。従って入力処理部２２は、操作キーに対する入力操作に応じて操作入力信号が与えられると、その操作入力信号と、その時点に使用するように設定している第１又は第２の命令割当テーブルとに基づいて、ユーザにより入力操作された操作キーを判別すると共に、当該入力操作された操作キーに割り当てられている命令を判別し、当該判別した命令を中央処理ユニット２４に与える。このようにして入力処理部２２は、実行処理非制限モード及び実行処理制限モードの何れに設定されている場合でも、操作キーに割り当てる命令を的確に判別して中央処理ユニット２４に送出することができる。
【００５３】
さらに入力処理部２２は、実行処理制限モード時、操作キーに対する入力操作に応じて操作入力信号が与えられると、その操作入力信号と第２の命令割当テーブルとに基づいて、ユーザにより入力操作された操作キーを判別するものの、引き続き入力操作された操作キーに割り当てられている命令を判別し得たときには、その判別結果に応じて、命令の割り当てが無効とされてはいない操作キーが入力操作されたこと（すなわち、割り当ての無効とされた命令を入力するための入力操作は行われていないこと）を検出する。これに対して入力処理部２２は、操作キーに対する入力操作に応じて操作入力信号が与えられたことで、その操作入力信号と第２の命令割当テーブルとに基づいて、ユーザにより入力操作された操作キーを判別するものの、引き続き入力操作された操作キーに対する命令の割り当てが無効であると判別したときには、その判別結果に応じて、命令の割り当てが無効とされた操作キーに対し、当該割り当ての無効とされた命令を入力するための入力操作が行われたことを検出する。
【００５４】
そして入力処理部２２は、割り当ての無効とされた命令を入力するための入力操作が行われていないことを検出すると、その時点で判別した命令を中央処理ユニット２４に与える。しかしながら入力処理部２２は、命令の割り当てが無効とされた操作キーに対し、当該割り当ての無効とされた命令を入力するための入力操作が行われたことを検出したときには、割り当ての無効とされた命令を入力するための入力操作がユーザにより行われたことを中央処理ユニット２４に通知する。中央処理ユニット２４は、入力処理部２２から命令が与えられると、当該与えられた命令に応じた処理を実行するものの、割り当ての無効とされた命令を入力するための入力操作の行われたことが通知されたときには、これに応じて簡易表示部３４に対する表示、又はスピーカ３０を介して出力させる警告音等によりユーザに対し、その時点でユーザにより行われた入力操作が無効であることを通知する。また中央処理ユニット２４は、このとき、かかる通知に合わせて簡易表示部３４に対する表示、又はスピーカ３０を介して出力させる音声等によりユーザに対し、実行処理制限モードから実行処理非制限モードへ切り替えるように促す。これにより中央処理ユニット２４は、実行処理制限モードにおいて、命令の割り当てを無効にした操作キーが入力操作されると、その入力操作が無効であり、当該操作キーを入力操作しても命令を入力し得ない（すなわち、現時点ではその操作キーが命令を入力し得ないものである）ことをユーザに通知し得ると共に、かかる操作キーを介して命令を入力し、その命令に応じた処理を実行したいのであれば、モードを切り替える必要があることを知らせることができる。
【００５５】
ところで中央処理ユニット２４は、上述した実行処理非制限モード及び実行処理制限モードの設定を実際には、ＲＯＭ２５又はハードディスクドライブ２６に予め記憶している命令入力環境設定プログラムに従って実行している。従って、以下には、図９及び図１０を用いて、命令入力環境設定プログラムに従って実行する処理について説明する。
【００５６】
中央処理ユニット２４は、例えば記録再生装置２０を起動させると、命令入力環境設定プログラムに従って図９に示す命令入力環境設定処理手順ＲＴ１を開始する。中央処理ユニット２４は、かかる命令入力環境設定処理手順ＲＴ１を開始すると、ステップＳＰ１において、ユーザにより実行処理非制限モード及び実行処理制限モードの切り替えが要求されることを待ち受ける。そして中央処理ユニット２４は、処理非制限命令又は処理制限命令が入力され当該ユーザにより実行処理非制限モード及び実行処理制限モードの切り替えが要求されると、次のステップＳＰ２に移る。ステップＳＰ２において中央処理ユニット２４は、その時点に設定していた実行処理非制限モードから切り替えて実行処理制限モードに設定し、又はその時点に設定していた実行処理制限モードから切り替えて実行処理非制限モードに設定する。このようにして中央処理ユニット２４は、実行処理非制限モード及び実行処理制限モードを一方から他方へ移行させると、次のステップＳＰ３に移る。
【００５７】
ステップＳＰ３において中央処理ユニット２４は、ステップＳＰ２で設定した実行処理非制限モード及び実行処理制限モードに応じて入力処理部２２により各種操作キーに割り当てる命令の一部を変更した後、ステップＳＰ１に戻る。このようにして中央処理ユニット２４は、記録再生装置２０を起動させている間、かかる命令入力環境設定処理手順ＲＴ１のステップＳＰ１乃至ステップＳＰ３の処理を循環的に繰り返し実行する。これにより中央処理ユニット２４は、ユーザの要求に応じて実行処理非制限モード及び実行処理制限モードに適宜切り替えて設定することで、記録再生装置２０をユーザの希望する使い方に合わせて使用させることができると共に、かかる実行処理非制限モード及び実行処理制限モードの設定に応じて操作キーに割り当てる命令を適宜変更することで、当該記録再生装置２０に対するユーザの希望する使い方に合わせた操作キーに対する操作環境（すなわち、命令の入力環境）を提供することができる。
【００５８】
また中央処理ユニット２４は、記録再生装置２０を起動させている間、上述した命令入力環境設定処理手順ＲＴ１の一環として、命令入力環境設定プログラムに従い図１０に示す操作無効通知処理手順ＳＲＴ１も開始する。中央処理ユニット２４は、かかる操作無効通知処理手順ＳＲＴ１を開始すると、ステップＳＰ１１において現時点のモードが実行処理制限モードであるか否かを判別する。その結果、中央処理ユニット２４は、現時点のモードが実行処理非制限モードであると、ユーザの要求に応じて実行処理制限モードに移行させることを待ち受ける。これに対して中央処理ユニット２４は、現時点のモードが実行処理制限モードである、又は実行処理非制限モードから実行処理制限モードに移行すると、次ステップＳＰ１２に移る。
【００５９】
ステップＳＰ１２において中央処理ユニット２４は、命令の割り当てを無効にした操作キーがユーザにより当該命令を入力するために入力操作されたか否かを判別する。このステップＳＰ１２において否定結果が得られると、このことは入力処理部２２により、命令の割り当てを無効にした操作キーがユーザにより入力操作されたことが検出されてはいないことを表している。従って中央処理ユニット２４は、このときステップＳＰ１３に移る。そしてステップＳＰ１３において中央処理ユニット２４は、現時点の実行処理制限モードを実行処理非制限モードに移行させるか否かを判別する。このステップＳＰ１３において否定結果が得られると、このことはユーザにより未だ実行処理非制限モードに移行するように要求されてはいないことを表している。従って中央処理ユニット２４は、このときステップＳＰ１２に戻る。これにより中央処理ユニット２４は、この後、実行処理制限モードから実行処理非制限モードに移行するように要求されるまでの間は、命令の割り当てを無効にした操作キーがユーザにより入力操作されたか否かを監視する。
【００６０】
そしてステップＳＰ１２において肯定結果が得られると、このことは入力処理部２２により、命令の割り当てを無効にした操作キーがユーザにより入力操作されたことが検出されたことを表している。従って中央処理ユニット２４は、このときステップＳＰ１４に移る。そしてステップＳＰ１４において中央処理ユニット２４は、ユーザに対しその時点の操作キーに対する入力操作が無効であることを通知すると共に、かかる操作キーを介して命令を入力するには現時点の実行処理制限モードを実行処理非制限モードに移行させる必要があることを知らせた後、ステップＳＰ１３に移る。ところでステップＳＰ１３において肯定結果が得られると、このことはユーザにより実行処理非制限モードに移行するように要求されたことを表している。従って中央処理ユニット２４は、このとき実行処理制限モードから実行処理非制限モードに移行させた後、ステップＳＰ１１に戻る。
【００６１】
以上の構成において、記録再生装置２０は、ユーザにより処理非制限命令入力操作キーが入力操作され処理非制限命令が入力されると、各種命令の入力の際に命令入力支援用の入力支援画像を表示部３３に表示させ、当該命令の入力に応じて実行する処理を制限しない実行処理非制限モードに設定する。また記録再生装置２０は、ユーザにより処理制限命令入力操作キーが入力操作され処理制限命令が入力されると、各種命令の入力の際に表示部３３に対し入力支援画像を非表示とし、当該命令の入力に応じて実行される処理を制限する実行処理制限モードに設定する。そして記録再生装置２０は、実行処理非制限モード及び実行処理制限モードに設定したとき、かかる設定に応じて、操作入力部２１を構成する各種操作キーに割り当てる入力可能な命令のうち少なくとも１つの命令を変更する。
【００６２】
従って記録再生装置２０は、実行処理非制限モードに設定すると、各種操作キーと共に、表示部３３に表示させる入力支援画像を利用させて各種命令を容易に入力させることで、これら各種命令の入力に応じて全ての処理を何ら制限せずに実行することができる。これに対して記録再生装置２０は、実行処理制限モードに設定すると、実行する処理を制限し、かつ各種操作キーに割り当てる入力可能な命令のうち少なくとも１つの命令を変更することで、これに応じて入力支援画像を特には利用させずに、操作キーのみを利用させて命令を入力させることができる。
【００６３】
以上の構成によれば、記録再生装置２０は、各種操作キーを介して命令を入力させる際、表示部３３に対し命令入力支援用の入力支援画像を表示させ、当該命令の入力に応じて実行する処理を制限しない実行処理非制限モード、又は表示部３３に対し入力支援画像を非表示として、実行する処理を制限する実行処理制限モードに設定し、当該設定した実行処理非制限モード及び実行処理制限モードに応じて、各種操作キーに割り当てる入力可能な命令のうち少なくとも１つの命令を変更するようにした。これにより記録再生装置２０は、実行処理非制限モードに設定したときには、各種操作キーと共に、表示部３３に表示させる入力支援画像を利用させて各種命令を入力させ、実行処理制限モードに設定したときには、処理の制限と各種操作キーに割り当てる命令の変更とに応じて、入力支援画像を特には利用させなくても操作キーのみを利用させて命令を入力させることができる。よって記録再生装置２０は、ユーザに対し当該記録再生装置の使用状況に応じた命令の入力環境を提供して使い勝手を向上させることができる。
【００６４】
また記録再生装置２０は、実行処理制限モードに設定したとき、各種操作キーに対し割り当てる入力可能な命令のうち制限する処理を実行するための特定の命令に対する割り当てを無効にした。従って記録再生装置２０では、実行処理制限モードのときには、実行する処理の制限に応じて各種操作キーに対して行われる入力操作も制限することができ、かくしてユーザの行う入力操作を簡易化することができる。そして記録再生装置２０は、実行処理制限モードに設定したとき、操作キーに対し割り当てを無効とした特定の命令を入力するための入力操作が行われたか否かを検出するようにして、当該入力操作が行われたことを検出すると、かかる入力操作が無効であることをユーザに通知するようにした。従って記録再生装置２０は、操作キーに対する特定の命令の割り当てを無効にしても、当該割り当てを無効にした命令をユーザに対し教えることができる。よって記録再生装置２０は、実行処理制限モードに設定したときには、ユーザに対し各種操作キーを入力操作させながら、かかる実行処理制限モードの設定に応じて制限した入力操作を容易に認識させることができる。
【００６５】
さらに記録再生装置２０は、実行処理制限モードに設定したときに、操作キーに対し、割り当てを無効とした特定の命令を入力するための入力操作が行われたことを検出すると、ユーザに対して実行処理制限モードから実行処理非制限モードへ切り替えるように促すようにした。従って記録再生装置２０は、ユーザが実行処理制限モードに設定していること、すなわち処理が制限されていることを忘れて、その時点で制限されている処理を実行させようとした場合、かかる処理を実行するには実行処理非制限モードに移行する必要があることを的確に教えることができる。
【００６６】
さらに記録再生装置２０は、実行処理制限モード時には簡易表示部３４に対し処理実行状況通知情報を表示するようにした。従って記録再生装置２０では、実行処理制限モード時に、処理実行状況通知情報により処理の実行状況をユーザに対して的確に通知することができる。
【００６７】
（３）他の実施の形態
なお上述した第２の実施の形態においては、ユーザの要求に応じて実行処理非制限モード及び実行処理制限モードに設定するようにした場合について述べたが、本発明はこれに限らず、記録再生装置２０に対し、表示部３３を有するテレビジョン受像機やモニタ装置等の表示装置を着脱可能に接続してその表示装置とを通信させ、当該記録再生装置２０が表示部３３に対し入力支援画像を表示可能か否かを検出して、かかる表示部３３に入力支援画像を表示可能なときには自動的に実行処理非制限モードに設定し、当該表示部３３に対し入力支援画像を表示し得ないときには自動的に実行処理制限モードに設定するようにしても良い。因みに記録再生装置２０は、当該記録再生装置２０に対する表示装置の接続の有無、表示装置の起動の有無、表示装置における表示部３３への入力支援画像の表示可能な設定の有無の検出結果を利用すれば、当該表示部３３に対し入力支援画像を表示可能か否かを的確に検出することができる。
【００６８】
また上述した第２の実施の形態においては、実行処理非制限モード時に簡易表示部３４を使用しないようにした場合について述べたが、本発明はこれに限らず、実行処理非制限モード時でも簡易表示部３４を使用するようにしても良い。そして実行処理非制限モード時に簡易表示部３４を使用する場合は、かかる簡易表示部３４に対し、上述した実行処理制限モード時と同様に処理実行状況通知情報を表示しても良いし、これとは異なる他の情報を表示するようにしても良い。
【００６９】
さらに上述した第１及び第２の実施の形態においては、本発明による命令入力装置を、図１乃至図１０について上述した命令入力装置１及び記録再生装置２０に適用するようにした場合について述べたが、本発明はこれに限らず、パーソナルコンピュータや携帯電話機、ＰＤＡ（Personal Digital Assistance ）、ゲーム機器、コンパクトディスクプレーヤ、ＤＶＤ（Digital Versatile Disc）プレーヤ、ハードディスクレコーダ等の情報処理装置、またテレビジョン受像機、リモートコントローラ等のように、この他種々の命令入力装置に広く適用することができる。すなわち上述した第１及び第２の実施の形態においては、図１乃至図１０について上述した機能回路ブロックや、ハードウェア回路ブロック及び命令入力環境設定プログラムを命令入力装置１や記録再生装置２０に実装した場合について述べたが、本発明はこれに限らず、これらを携帯電話機やパーソナルコンピュータ等、命令入力装置１及び記録再生装置２０以外の種々の装置に実装するようにしても良く、これら機能回路ブロックや、ハードウェア回路ブロック及び命令入力環境設定プログラムを実装した装置であれば、上述した命令入力装置１及び記録再生装置２０と同様の処理を実現することができる。
【００７０】
さらに上述した第１及び第２の実施の形態においては、各種命令を入力するための命令入力部として、図１乃至図１０について上述した命令入力装置１の命令入力部２や、記録再生装置２０の操作入力部２１及び入力処理部２２を適用するようにした場合について述べたが、本発明はこれに限らず、各種命令を入力させることができれば、タッチパネルやジョイスティック、タッチパッド等のように、この他種々の命令入力部を広く適用することができる。
【００７１】
さらに上述した第１及び第２の実施の形態においては、命令入力部を介して命令が入力される際、命令入力支援用の入力支援画像を表示可能な表示能力を有する表示部に対し当該入力支援画像を表示させ、命令の入力に応じて実行される処理を制限しない実行処理非制限モード、又は表示部に対し入力支援画像を非表示として、命令の入力に応じて実行される処理を制限する実行処理制限モードに設定するモード設定部として、図１乃至図１０について上述した命令入力装置１のモード設定部３や、記録再生装置２０の中央処理ユニット２４を適用するようにした場合について述べたが、本発明はこれに限らず、命令入力部を介して命令が入力される際、命令入力支援用の入力支援画像を表示可能な表示能力を有する表示部に対し当該入力支援画像を表示させ、命令の入力に応じて実行される処理を制限しない実行処理非制限モード、又は表示部に対し入力支援画像を非表示として、命令の入力に応じて実行される処理を制限する実行処理制限モードに設定するハードウェア回路構成のモード設定回路等のように、この他種々のモード設定部を広く適用することができる。
【００７２】
さらに上述した第１及び第２の実施の形態においては、モード設定部により設定された実行処理非制限モード及び実行処理制限モードに応じて、命令入力部に割り当てる入力可能な命令のうち少なくとも１つの当該命令を変更する命令割当部として、図１乃至図１０について上述した命令入力装置１の命令割当部５や、記録再生装置２０の入力処理部２２を適用するようにした場合について述べたが、本発明はこれに限らず、モード設定部により設定された実行処理非制限モード及び実行処理制限モードに応じて、命令入力部に割り当てる入力可能な命令のうち少なくとも１つの当該命令を変更するハードウェア回路構成の命令割当回路等のように、この他種々の命令割当部を広く適用することができる。
【００７３】
さらに上述した第１及び第２の実施の形態においては、モード設定部により実行処理制限モードに設定されたとき命令入力部に対して、命令割当部により割り当ての無効とされた特定の命令を入力するための操作が行われたか否かを検出する検出部として、図１乃至図１０について上述した命令入力装置１の検出部６や、記録再生装置２０の入力処理部２２を適用するようにした場合について述べたが、本発明はこれに限らず、モード設定部により実行処理制限モードに設定されたとき命令入力部に対して、命令割当部により割り当ての無効とされた特定の命令を入力するための操作が行われたか否かを検出するハードウェア回路構成の検出回路等のように、この他種々の検出部を広く適用することができる。
【００７４】
さらに上述した第１及び第２の実施の形態においては、検出部により命令入力部に対して、命令割当部により割り当ての無効とされた特定の命令を入力するための操作の行われたことが検出されると、当該操作が無効であることを通知する通知部として、図１乃至図１０について上述した命令入力装置１の通知部７や、記録再生装置２０の中央処理ユニット２４、音声処理部２９、スピーカ３０、表示処理部３５及び簡易表示部３４を適用するようにした場合について述べたが、本発明はこれに限らず、検出部により命令入力部に対して、命令割当部により割り当ての無効とされた特定の命令を入力するための操作の行われたことが検出されると、当該操作が無効であることを通知するハードウェア回路構成の通知回路や、ライト等のように、この他種々の通知部を広く適用することができる。
【００７５】
さらに上述した第１及び第２の実施の形態においては、モード設定部により実行処理非制限モードに設定されたとき、表示部に対して入力支援画像を表示し、モード設定部により実行処理制限モードに設定されたとき、表示部の表示能力よりも低い表示能力を有する簡易表示部に対し、命令入力部を介して入力される命令に応じた処理の実行状況を通知する処理実行状況通知情報を表示するように、表示部及び簡易表示部の表示を制御する表示制御部として、図１乃至図１０について上述した命令入力装置１の表示制御部８や、記録再生装置２０の中央処理ユニット２４及び表示処理部３５を適用するようにした場合について述べたが、本発明はこれに限らず、モード設定部により実行処理非制限モードに設定されたとき、表示部に対して入力支援画像を表示し、モード設定部により実行処理制限モードに設定されたとき、表示部の表示能力よりも低い表示能力を有する簡易表示部に対し、命令入力部を介して入力される命令に応じた処理の実行状況を通知する処理実行状況通知情報を表示するように、表示部及び簡易表示部の表示を制御するハードウェア回路構成の表示制御回路等のように、この他種々の表示制御部を広く適用することができる。
【産業上の利用可能性】
【００７６】
本発明は、各種命令を入力し得るパーソナルコンピュータ等の命令入力装置に利用することができる。
【図面の簡単な説明】
【００７７】
【図１】本発明による命令入力装置の機能回路ブロックによるハードウェア構成の第１の実施のの形態を示すブロック図である。
【図２】第２の実施の形態による記録再生装置のハードウェア回路ブロックによるハードウェア構成を示すブロック図である。
【図３】処理選択用入力支援画像の構成を示す略線図である。
【図４】ＣＤ再生用入力支援画像の構成を示す略線図である。
【図５】実行処理非制限モード及び実行処理制限モードの設定に伴う操作キーへの命令割当の変更の説明に供する略線図である。
【図６】実行処理制限モードに応じた選択項目リストの編集の説明に供する略線図である。
【図７】実行処理制限モードにおける選択項目の選択の説明に供する略線図である。
【図８】実行処理制限モードでＣＤ再生処理を実行したときの処理実行状況通知情報の表示の説明に供する略線図である。
【図９】命令入力環境設定処理手順を示すフローチャートである。
【図１０】操作無効通知処理手順を示すフローチャートである。
【符号の説明】
【００７８】
１……命令入力装置、２……命令入力部、３……モード設定部、４……表示部、５……命令割当部、６……検出部、７……通知部、８……表示制御部、９……簡易表示部、２０……記録再生装置、２１……操作入力部、２２……入力処理部、２４……中央処理ユニット、２９……音声処理部、３０……スピーカ、３３……表示部、３４……簡易表示部、３５……表示処理部、ＲＴ１……命令入力環境設定処理手順、ＳＲＴ１……操作無効通知処理手順。
【図１】
2007041690.tif 000003
【図２】
2007041690.tif 000004
【図３】
2007041690.tif 000005
【図４】
2007041690.tif 000006
【図５】
2007041690.tif 000007
【図６】
2007041690.tif 000008
【図７】
2007041690.tif 000009
【図８】
2007041690.tif 000010
【図９】
2007041690.tif 000011
【図１０】
2007041690.tif 000012